(57)【要約】【課題】洗面、洗髪等を行うことができ、鏡を顔に近い位置に近づけることが可能であるとともに、その位置の調節が容易であり、丁寧に部分化粧を行える洗面化粧台を提供する。【解決手段】洗面カウンター５の手前正面５１の略全長にわたって回動桿３を設け、該回動桿３にスライド自在、かつ、回動自在に鏡体１を軸支するとともに、該鏡体１を摩擦回動させることにより、鏡面１１を手前に近づけて使用可能とされた洗面化粧台。上記鏡体１を摩擦蝶番４を介して蓋体２の一端部２１に回動自在に組み付け、該蓋板２の他端部２２は上記回動桿３にスライド自在、かつ、回動自在に軸支することも可能である。【選択図】図６
2007330562.tif 000002
【特許請求の範囲】
【請求項１】
洗面カウンターの手前正面の略全長にわたって回動桿を設け、該回動桿にスライド自在、かつ、回動自在に鏡体を軸支するとともに、該鏡体を摩擦回動させることにより、鏡面を手前に近づけて使用可能とされた洗面化粧台。
【請求項２】
上記鏡体を摩擦蝶番を介して蓋体の一端部に回動自在に組み付け、該蓋板の他端部は上記回動桿にスライド自在、かつ、回動自在に軸支された請求項１に記載の洗面化粧台。
【発明の詳細な説明】
【技術分野】
【０００１】
本発明は、洗面化粧台の構造に関する。さらに詳しくは、目元、口元等の部分化粧を容易に行えるように、手許に鏡を引き寄せて化粧をすることができる洗面化粧台に関する。
【背景技術】
【０００２】
従来、洗面ボウルを箱体内に収納できるようにした洗髪・洗面化粧台は公知であり、理髪店等に設置されているものがよく知られている。上記洗髪・洗面化粧台においては、通常、収納した洗面ボウルは、そのまま露出しているため、洗面ボウルの底面が使用者の眼前に迫り、見栄えが悪く、使用感に優れているとはいいがたい。
【０００３】
そこで、下記特許文献１には、上記洗面ボウルを収納する箱体を構成する両側板間に天板を回動自在に連結するとともに、この天板の先端に洗面ボウルの底面を覆う第一覆い板を回動自在に連結し、天板と第一覆い板によって洗面ボウルを覆ったとき、第一覆い板との共働によって、洗面ボウルの前面を覆うようにした第二覆い板を洗面ボウルの底面に組み付け、かつ、第一覆い板の外側に鏡を組み付けた洗髪・洗面化粧台が開示されている。
【特許文献１】実公平７−１６３９４号公報（第１〜４頁、第１図、第２図、第３図、第４図）
【発明の開示】
【発明が解決しようとする課題】
【０００４】
しかしながら、上記従来技術においては、鏡は水道カランの向こう側にあり、目元、口元等を念入りに化粧するには鏡に顔を近づけなければならず、使い勝手が悪いという問題がある。また、上記特許文献１に記載の洗髪・洗面化粧台を一般家庭に適用するのは困難であるという問題もある。
【０００５】
本発明はこのような問題を解決して、洗面、洗髪等を行うことができ、鏡を顔に近い位置に近づけることが可能であるとともに、その位置の調節が容易であり、丁寧に部分化粧を行える洗面化粧台を提供することを、その課題とする。
【課題を解決するための手段】
【０００６】
上記課題を解決するために、本発明においては、つぎのような技術的手段を講じている。すなわち、請求項１に記載の発明によれば、洗面カウンターの手前正面の略全長にわたって回動桿を設け、該回動桿にスライド自在、かつ、回動自在に鏡体を軸支するとともに、該鏡体を摩擦回動させることにより、鏡面を手前に近づけて使用可能とされた洗面化粧台が提供される。
【０００７】
請求項２に記載の洗面ボウルの構造は、請求項１に記載の発明に加えて、上記鏡体を摩擦蝶番を介して蓋体の一端部に回動自在に組み付け、該蓋板の他端部は上記回動桿にスライド自在、かつ、回動自在に軸支される。
【発明の効果】
【０００８】
請求項１に記載の発明にかかる洗面化粧台は上記のとおりであり、洗面カウンターの手前正面の略全長にわたって設けられた回動桿にスライド自在、かつ、回動自在に軸支され、通常、裏面を正面として垂設された鏡体を摩擦回動すれば、鏡面が表面となり、使用者は容易に該鏡面を手前に近づけることが可能となるため、鏡面の位置を回動して調節し、目元、口元等を部分的に丁寧に化粧することができる。
【０００９】
請求項２に記載の洗面化粧台の構造は上記のとおりであり、請求項１の洗面化粧台の有する効果に加え、上記鏡体を摩擦蝶番を介して蓋体の一端部に回動自在に組み付け、該蓋板の他端部は上記回動桿にスライド自在、かつ、回動自在に軸支されているため、該蓋体で洗面カウンターの洗面ボウルを覆い、鏡体の裏面を載置部として種々の小物類を載置することができる。
【００１０】
また、鏡体は蓋体に摩擦蝶番を介して回動自在に組み付けられるとともに、蓋体は回動桿に沿ってスライド自在とされているため、使用者は容易に鏡面を所望の位置にスライド移動させることが可能であり、かつ、手前に近づけることができるため、鏡面の位置を微調節し、目元、口元等を部分的に丁寧に化粧することができる。
【発明を実施するための最良の形態】
【００１１】
以下、本発明の実施形態について図面を参照して詳細に説明する。図１は本発明の第１実施形態にかかる洗面化粧台Ａを示す斜視図である。図１に示すように、上記洗面化粧台Ａは洗面ボウル６を備えた洗面カウンター５の手前側の正面５１の略全長にわたって設けられた回動桿３と、この回動桿３にスライド自在、かつ、回動自在に軸支される鏡体１を備えている。図１に示すように、上記鏡体１は、通常、鏡面１１を洗面カウンター５側に向け、裏面１２が正面に位置するように配設されている。
【００１２】
上記鏡体１を使用する場合、図１に矢印で示すように、鏡面１１が表面となるように鏡体１を回動させる。図２は上記のようにして、鏡体１を回動させた状態を示す斜視図である。図２に示されているように、鏡体１は回動桿３に摩擦回動自在に軸支されているため、使用者は容易に鏡面１１を手前に近づけることが可能となり、鏡面１１の位置を回動して調節し、目元、口元等を部分的に丁寧に化粧することができる。７は収納スペースである。
【００１３】
図３は、本発明の第２実施形態にかかる洗面化粧台Ｂを示す斜視図である。図３に示すように、本実施形態においては、鏡体１は、摩擦蝶番４を介して蓋体２の一端部２１に回動自在に組み付けられ、蓋体２の他端部２２は上記回動桿に３スライド自在、かつ、回動自在に軸支されている。図４は、図３に矢印で示すように回動させ、蓋体２で洗面ボウル６を覆った状態を示す斜視図である。図４に示すように、このとき、鏡体１の裏面が１２が表面となるとともに、洗面ボウル６を覆ったスペースを化粧用品等、種々の小物類を載置する載置部とすることができる。
【００１４】
図５は、図４において、鏡体１を摩擦蝶番４を軸として上方に開き、内側に折り畳まれていた鏡面１１を回動した状態を示す斜視図である。図５においては、蓋体２が載置部となり、第１実施形態における場合と同様に、使用者は容易に鏡面１１を手前に近づけることが可能となり、鏡面１１の位置を回動して調節し、目元、口元等を部分的に丁寧に化粧することができる。
【００１５】
図６は、図５において、回動桿３に軸支された蓋体２を回動させた状態を示す斜視図である。図６に示されているように、鏡体１は、蓋体２に摩擦蝶番４を介して組み付けられているため、上下に回動自在であり、また、回動桿３に沿ってスライド自在とされている。したがって、使用者は容易に鏡面１１を所望の位置にスライド移動させるとともに、手前に近づけることが可能となり、鏡面１１の位置を微調節し、目元、口元等を部分的に丁寧に化粧することができる。
【００１６】
化粧を終えた後は、図４に示すように、蓋体２で洗面ボウル６を覆うとともに、鏡体１の裏面１２を載置部とすることができる。また、洗髪・洗面時は、図３に示すように、上記鏡体１を摩擦蝶番４を介して回動、蓋体２が正面となるように垂下すればよい。このとき、上記蓋体２は、洗面カウンター５下方の収納スペース７に収納されたトイレタリー用品等を目隠しする目隠し部として機能する。さらに、回動桿３はタオル掛け等として用いてもよく、このように本発明は種々設計変更可能であり、本発明の特許請求の範囲を逸脱しない限りいずれも本発明の技術的範囲に含まれる。
【図面の簡単な説明】
【００１７】
【図１】本発明の第１実施形態にかかる洗面化粧台を示す斜視図である。
【図２】図１において鏡体を回動させた状態を示す斜視図である。
【図３】本発明の第２実施形態にかかる洗面化粧台を示す斜視図である。
【図４】図３において蓋体を矢印で示すように回動させて洗面ボウルを覆った状態を示す斜視図である。
【図５】図４において、鏡体を摩擦蝶番を軸として上方に開き、内側に折り畳まれていた鏡面を回動した状態を示す斜視図である。
【図６】図５において、回動桿に軸支された蓋体を回動させた状態を示す斜視図である。
【符号の説明】
【００１８】
Ａ          本発明の第１実施形態にかかる洗面化粧台
Ｂ          本発明の第２実施形態にかかる洗面化粧台
１          鏡体
１１        鏡面
１２        裏面
２          蓋体
２１        一端部
２２        他端部
３          回動桿
４          摩擦蝶番
５          洗面カウンター
５１        洗面カウンターの正面
６          洗面ボウル
７          収納スペース
【図１】
2007330562.tif 000003
【図２】
2007330562.tif 000004
【図３】
2007330562.tif 000005
【図４】
2007330562.tif 000006
【図５】
2007330562.tif 000007
【図６】
2007330562.tif 000008